(57)【要約】【課題】  砂を篩い落として小石その他の異物を残留させる揺動篩体を動力作業車でバンカー表面を移動しながら小石その他の異物を効率よくしかも確実に収集することができるゴルフ場のバンカーにおける異物収集装置を提供する。【解決手段】  砂を篩い落として小石その他の異物を残留させる揺動篩体１を備えて成る。揺動篩体１は、移動方向の先端縁にバンカーの砂を掬う刃先３を有し、かつ移動方向の後端縁に小石その他の異物溜め４を有している。動力作業車５の前方に位置して揺動篩体１を揺動自在に支持する支持構造６と、動力作業車５から動力を伝達されて揺動篩体１を揺動させる偏心駆動構造１４を備えて成る。【選択図】図１
2014034874.tif 000002
【特許請求の範囲】
【請求項１】
ゴルフ場のバンカー表面を移動しながら小石その他の異物を収集する装置であって、
砂を篩い落として小石その他の異物を残留させる揺動篩体を備えて成り、
前記揺動篩体は、移動方向の両側を起立壁で縁取りし、移動方向の先端縁にバンカーの砂を掬う刃先を有し、かつ移動方向の後端縁に小石その他の異物溜めを有しており、
動力作業車の前方に位置して前記揺動篩体を揺動自在に支持する支持構造と、前記動力作業車から動力を伝達されて前記揺動篩体を揺動させる偏心駆動構造を備えて成る
ことを特徴とするゴルフ場のバンカーにおける異物収集装置。
【請求項２】
動力作業車の前方に位置する揺動篩体は、移動方向の先端側から後方に迫り上がり状に傾斜していることを特徴とする請求項１記載のゴルフ場のバンカーにおける異物収集装置。
【請求項３】
揺動篩体を揺動自在に支持する支持構造は、その先端部にゲージホイールを備えていて、ゲージホイールにより揺動篩体の刃先高さを調節機能を備えていることを特徴とする請求項２記載のゴルフ場のバンカーにおける異物収集装置。
【発明の詳細な説明】
【技術分野】
【０００１】  本発明は、ゴルフ場のバンカー表面を移動しながら小石その他の異物を収集する装置に関するものである。
【背景技術】
【０００２】  ゴルフ場には、コースの途中にバンカー（砂場）が設けられているが、バンカーの砂には小石や木片、木の葉などの異物が混ざり合っていることがあり、バンカーにおけるこれらの異物は、ボールを打つ際の妨げとなるので、プレー前に除去しておくことが肝要である。
ところで、従来からバンカー等の異物収集装置としては、特開２００４−１２４５２０号公報で提案されいるもの、特開２００１−１４６７２１号公報で提案されているもの、あるいは実用新案登録第３０９０５４０号公報で提案されているものなどがある。
【先行技術文献】
【特許文献】
【０００３】
【特許文献１】  特開２００４−１２４５２０号公報
【特許文献２】  特開２００１−１４６７２１号公報
【特許文献３】  実用新案登録第３０９０５４０号公報
【発明の概要】
【発明が解決しようとする課題】
【０００４】  前掲の特許文献１において紹介している装置によれば、両側を開口した金属製の円筒体の長さ方向にそって砂やゴミ等の採り入れ口を開口していて、開口部は篩網で覆うようにし、レーキを取り付けた分離具に柄を設けた構造のものであり、特許文献３において紹介されているものも、篩網を張った枠体に車輪を取り付けて柄を備えた篩部を引いて小石などを除去する構造であるから、いずれも広いバンカーにおける小石などの収集作業には適さないものである。
また、特許文献２に記載されている砂浜の清掃装置は、複数本のアームを突設した円筒状のドラムを牽引して砂浜を清掃するものであるから、小石のような異物を収集するには適していないものである。【０００５】  そこで本発明は、砂を篩い落として小石その他の異物を残留させる揺動篩体を動力作業車でバンカー表面を移動しながら小石その他の異物を効率よくしかも確実に収集することができるゴルフ場のバンカーにおける異物収集装置を提供することを目的とするものである。
【課題を解決するための手段】
【０００６】  本発明は、前記目的を達成するため請求項１ないし３に係るゴルフ場のバンカーにおける異物収集装置を提案する。
すなわち、請求項１に係るゴルフ場のバンカーにおける異物収集装置は、
ゴルフ場のバンカー表面を移動しながら小石その他の異物を収集する装置であって、
砂を篩い落として小石その他の異物を残留させる揺動篩体を備えて成り、
前記揺動篩体は、移動方向の両側を起立壁で縁取りし、移動方向の先端縁にバンカーの砂を掬う刃先を有し、かつ移動方向の後端縁に小石その他の異物溜めを有しており、
動力作業車の前方に位置して前記揺動篩体を揺動自在に支持する支持構造と、前記動力作業車から動力を伝達されて前記揺動篩体を揺動させる偏心駆動構造を備えて成ることを特徴とするものである。【０００７】  また、請求項２に係るゴルフ場のバンカーにおける異物収集装置は、請求項１の構成において、動力作業車の前方に位置する揺動篩体は、移動方向の先端側から後方に迫り上がり状に傾斜していることを特徴とするものである。【０００８】  さらに、請求項３に係るゴルフ場のバンカーにおける異物収集装置は、請求項２の構成において、揺動篩体を揺動自在に支持する支持構造は、その先端部にゲージホイールを備えていて、ゲージホイールにより揺動篩体の刃先高さを調節機能を備えていることを特徴とするものである。
【発明の効果】
【０００９】  本発明によれば、砂を篩い落として小石その他の異物を残留させる揺動篩体を動力作業車でバンカー表面を移動しながら小石その他の異物を効率よくしかも確実に収集することができる効果を奏するものである。
【図面の簡単な説明】
【００１０】
【図１】  本発明の一実施の形態に係るゴルフ場のバンカーにおける異物収集装置の全体を示す側面図である。
【図２】  同上要部の平面図である。
【図３】  図２の部分の分解斜視図でである。
【図４】  図３のＭ−Ｍ断面図である。
【図５】  図３のＮ−Ｎ断面図である。
【図６】  要部の作用説明図である。
【発明を実施するための形態】
【００１１】  図１乃至図３に示すように、本発明に係るゴルフ場のバンカーにおける異物収集装置は、ゴルフ場のバンカー表面を移動しながら小石その他の異物を収集する装置であって、砂を篩い落として小石その他の異物を残留させる揺動篩体１を備えて成るものである。
この揺動篩体１は、砂を篩い落とす多孔状又は網状のものであって、移動方向の両側を起立壁２，２で縁取りし、移動方向の先端縁にバンカーの砂を掬う刃先３を有し、かつ移動方向の後端縁に小石その他の異物溜め４を有している。
５は動力作業車であって、前記揺動篩体１は動力作業車５の前方に位置して動力作業車５に装着されるものである。
【００１２】  揺動篩体１は、それを揺動自在に支持する支持構造６を有しており、支持構造６は、左右一対の前後方向アーム７，７とその間を前後でつなぐ前後一対の横アーム８，８によって一体構造に構成されている。支持構造６はその前後方向アーム７，７の後端部が動力作業車５の取付アーム９，９に対する装着部１０，１０を成し、前後方向アーム７，７の先端部にはゲージホイール１１，１１を備えている。動力作業車５の取付アーム９，９は油圧装置によりそれぞれ上下動操作できるものである。
【００１３】  揺動篩体１は、支持構造６の横アーム８，８それぞれの両端部１２に、防振ゴムから成る弾性部材１３を介在させて揺動可能な状態に取り付けられている。１４は偏心駆動構造であって、入力軸１５の回転力で偏心軸１６を偏心駆動し、揺動篩体１を揺動させる構造と成っている。１７，１７は揺動伝達軸である。偏心駆動構造１４の入力軸１５は動力作業車５の動力取出軸１８にユニバーサルジョイント１９を介して連結して回転動力が伝達される。動力作業車５の前方に位置する揺動篩体１は、移動方向の先端側から後方に迫り上がり状に傾斜するように高さ位置を調整する（図４参照）。
【００１４】  本発明に係るゴルフ場のバンカーにおける異物収集装置によりバンカーの砂２０に混じっている小石その他の異物を収集するには、バンカー１９面においてゲージホイール１１，１１を操作して揺動篩体１をその刃先３が砂の面に少し食い込み、かつ移動方向の先端側から後方に迫り上がり状に傾斜するように高さ位置を調整する。そして、動力作業車５を運転してバンカー１９面を移動させると、バンカー１９の砂が小石その他の異物とともに刃先３から掬い上げられ、揺動にともなって移動方向の後方に順次移動し、その移動過程で砂が篩い落とされ、小石その他の異物はさらに後方に移動して異物溜め４に溜め込まれる（図６参照）。なお、異物溜め４に溜まった異物は適時毎に排出するものとする。
【符号の説明】
【００１５】１  揺動篩体
２，２  起立壁
３  刃先
４  異物溜め
５  動力作業車
６  支持構造
７，７  前後方向アーム
８，８  横アーム
９，９  取付アーム
１０，１０  装着部
１１，１１  ゲージホイール
１２  両端部
１３  弾性部材
１４  偏心駆動構造
１５  入力軸
１６  偏心軸
１７，１７  揺動伝達軸
１８  動力取出軸
１９  ユニバーサルジョイント
２０  バンカーの砂
【図１】
2014034874.tif 000003
【図２】
2014034874.tif 000004
【図３】
2014034874.tif 000005
【図４】
2014034874.tif 000006
【図５】
2014034874.tif 000007
【図６】
2014034874.tif 000008